(57)【要約】  外周上にある第一の隙間によって分断されている金属部とアンテナとを備える無線機において、金属部およびアンテナを高周波的に接続しても、アンテナのアンテナ特性への影響を抑制する無線機を提供する。外周上にあるスリット（３０）によって分断されている金属部（１０）とアンテナ（２０）とを備えており、金属部は、金属部のスリット側の末端が、アンテナの通信周波数において、グランドに対して高インピーダンスである無線機。
2016103859.tif 000002
【特許請求の範囲】
【請求項１】
外周上にある第一の隙間によって分断されている金属部と第一のアンテナとを備えており、
上記金属部は、上記金属部の上記第一の隙間側の末端が、上記第一のアンテナの通信周波数において、グランドに対して高インピーダンスである無線機。
【請求項２】
上記金属部は、上記金属部の上記第一の隙間側の末端が、上記第一のアンテナの通信周波数において、グランドに対して高インピーダンスになるような接続位置においてグランドに接続していることを特徴とする請求項１に記載の無線機。
【請求項３】
上記第一のアンテナの通信周波数の波長をλとすると、上記グランドとの接続位置から上記金属部の上記第一の隙間側の末端までの電気長が、（２ｎ−１）λ／８〜（２ｎ＋１）λ／８（ｎは奇数の自然数）であることを特徴とする請求項２に記載の無線機。
【請求項４】
リアクタンス素子をさらに備え、
上記金属部は、上記リアクタンス素子を介して上記グランドに接続されていることを特徴とする請求項２または３に記載の無線機。
【請求項５】
上記第一のアンテナは、互いに異なる複数の通信周波数で無線通信を行い、
上記金属部は、上記金属部の上記第一の隙間側の末端が、上記互いに異なる複数の通信周波数のそれぞれにおいて、グランドに対して高インピーダンスになるような接続位置においてグランドに接続されていることを特徴とする請求項２〜４の何れか１項に記載の無線機。
【請求項６】
上記外周上にある第二の隙間であって、上記第一の隙間とは異なる第二の隙間によって上記金属部と分断されている第二のアンテナをさらに備え、
上記金属部はさらに、上記金属部の上記第二の隙間側の末端が、上記第二のアンテナの通信周波数において、グランドに対して高インピーダンスになるような接続位置においてグランドに接続されていることを特徴とする請求項２〜５の何れか１項に記載の無線機。
【請求項７】
上記金属部は、上記第一の隙間と、上記金属部において上記グランドに接続されている接続位置との間において分断されていることを特徴とする請求項２〜６の何れか１項に記載の無線機。
【請求項８】
上記金属部は、上記外周に沿って配置されていることを特徴とする請求項１〜７の何れか１項に記載の無線機。
【請求項９】
上記第一のアンテナは、上記外周に沿って配置されていることを特徴とする請求項１〜８の何れか１項に記載の無線機。
【請求項１０】
上記第一のアンテナは、一部が欠落している欠落部位が存在しており、
上記欠落部位の面積は、上記第一のアンテナの通信周波数の波長の１／８の二乗以下の面積であることを特徴とする請求項１〜９の何れか１項に記載の無線機。
【発明の詳細な説明】
【技術分野】
【０００１】
本発明は、外周上にある隙間によって分断される金属部とアンテナとを備える無線機に関する。
【背景技術】
【０００２】
情報の送受信を行うことができる無線機において、通信特性を向上させるために、当該無線機の筐体に金属を用い、当該金属の一部をアンテナとして無線通信を行う技術が提案されている。【０００３】
例えば、特許文献１には、ギャップが形成された周辺導電性ハウジング部材を備える電子装置が開示されている。当該電子装置では、周辺導電性ハウジング部材は、接地平面に接続されている部分と、アンテナとして動作する部分であって、接地平面に接続されていない部分とを含み、接地平面に接続されている部分とアンテナとして動作する部分との間にギャップが形成されている。
【先行技術文献】
【特許文献】
【０００４】
【特許文献１】日本国公表特許公報「特表２０１４−５０８４４０号公報（２０１４年４月３日公表）」
【発明の概要】
【発明が解決しようとする課題】
【０００５】
しかしながら、上述のような従来技術では、ユーザが上記電子装置を把持したときに、指がギャップに触れ、接地平面に接続されている部分とアンテナとして動作する部分とが高周波的に接続され、アンテナ特性が変化してしまうという問題がある。【０００６】
本発明は、上記問題に鑑みてなされたものであり、外周上にある第一の隙間によって分断されている金属部とアンテナとを備える無線機において、金属部およびアンテナを高周波的に接続しても、アンテナのアンテナ特性への影響を抑制する無線機を提供することを主たる目的とする。
【課題を解決するための手段】
【０００７】
上記の課題を解決するために、本発明の一態様に係る無線機は、外周上にある第一の隙間によって分断されている金属部と第一のアンテナとを備えており、上記金属部は、上記金属部の上記第一の隙間側の末端が、上記第一のアンテナの通信周波数において、グランドに対して高インピーダンスである。
【発明の効果】
【０００８】
本発明の一態様によれば、外周において金属部とアンテナとを分断する隙間を有する無線機において、金属部およびアンテナを高周波的に接続しても、アンテナのアンテナ特性への影響を抑制することができる。
【図面の簡単な説明】
【０００９】
【図１】本発明の実施形態１に係る無線機の構成を示す概略図である。
【図２】（ａ）は、本発明の実施形態１に係る無線機の変形例１の構成を示す概略図であり、（ｂ）は、本発明の実施形態１に係る無線機の変形例２の構成を示す概略図である。
【図３】本発明の実施形態２に係る無線機の構成を示す概略図である。
【図４】本発明の実施形態３に係る無線機の構成を示す概略図である。
【図５】（ａ）は、本発明の実施形態３に係る無線機の変形例３の構成を示す概略図であり、（ｂ）は、本発明の実施形態３に係る無線機の変形例４の構成を示す概略図である。
【図６】本発明の実施形態４に係る無線機の構成を示す概略図である。
【図７】本発明の実施形態５におけるアンテナの構成の一例を示す概略図であり、（ｂ）は、本発明の実施形態５におけるアンテナの構成の他の例を示す概略図であり、（ｃ）は、本発明の実施形態５におけるアンテナの構成のさらに他の例を示す概略図である。
【発明を実施するための形態】
【００１０】
以下、図面に基づいて本発明の実施形態を詳細に説明する。説明の便宜上、各実施形態に示した部材と同一の機能を有する部材については、同一の符号を付し、適宜その説明を省略する。
【００１１】
本明細書では、無線機として、ユーザが手に持って操作することができ、かつ無線信号による通信機能を有した装置であり、携帯電話機、スマートフォン、またはタブレット型端末を例に挙げているが、本発明に係る無線機はこれらに限定されない。例えば、据え置き型の無線ＬＡＮ親機などであってもよい。
【００１２】
〔実施形態１〕
図１は、本発明の実施形態１に係る無線機１の構成を示す概略図である。図１に示すように、無線機１は、金属部１０、アンテナ（第一のアンテナ）２０、スリット（第一の隙間）３０、スリット３１、給電部４０、インダクタ５０、およびＧＮＤ６０を備えている。
【００１３】
無線機１は、外周において金属部１０とアンテナ２０とに分断するスリット３０およびスリット３１を有している。本明細書において、「外周」とは、無線機１の外側に沿った周りの領域を指す。特に、本実施形態では、金属部１０およびアンテナ２０は外周に沿って配置されている。なお、金属部１０およびアンテナ２０は、無線機１の筐体であってもよいし、無線機１の筐体の少なくとも一部を構成してもよい。金属部１０およびアンテナ２０が無線機１の筐体の少なくとも一部を構成する例として、２つの樹脂製の成形物が金属部１０およびアンテナ２０を挟むことによって生成される構造体を筐体とする構成が挙げられる。なお、筐体とは、無線機１が備える電子部品を格納する部材を指す。
【００１４】
金属部１０は、金属部１０のスリット３０側の末端までの長さが長さＬの位置においてＧＮＤ６０に接続されている（以下、金属部１０においてＧＮＤ６０に接続されている位置をグランド接続点Ｐと称する）。なお、グランド接続点Ｐにおいて、金属部１０と共に他部品（例えば、ＵＳＢコネクタなど）もＧＮＤ６０に接続される構成であってもよい。また、長さＬの具体的な値については後述する。
【００１５】
アンテナ２０は、給電部４０によってアンテナ給電され、無線信号を送受信することができる。また、アンテナ２０は、スリット３０の近傍にてインダクタ５０を介してＧＮＤ６０に接続されており、アンテナ２０の通信周波数の１／２波長系で動作する。しかしながら、アンテナ２０の給電位置、グランド位置は限定されない。また、アンテナ２０は、先端開放型の１／４波長（λ／４）系で動作するアンテナであってもよいし、途中で短絡された逆Ｆアンテナであってもよく、アンテナ方式は限定されない。
【００１６】
スリット３０およびスリット３１は、金属部１０およびアンテナ２０を分離するように設けられている。なお、スリット３０およびスリット３１は、容量結合しないよう、金属部１０とアンテナ２０との容量が１ｐＦ以下になるように設けられるのが好ましい。なお、金属部１０およびアンテナ２０を分離するスリットは、少なくとも１つ設けられていればよい。
【００１７】
ＧＮＤ６０は、金属部１０およびアンテナ２０が接続されているグランドを示しており、例えば、無線機１の内部に配置された回路基板（不図示）のグランドであってもよいが、ＧＮＤ６０の形状は図１に示す形状に限定されない。
【００１８】
（長さＬ）
アンテナ２０が送受信する無線信号の波長をλとすると、長さＬの電気長は、（２ｎ−１）λ／８〜（２ｎ＋１）λ／８（ｎは奇数の自然数）であるのが好ましい。特に、長さＬの電気長は、ｎ＝１の場合のλ／８〜３λ／８が好ましく、さらにλ／４が最も好ましい。この場合、例えば、スリット３０を指で塞ぎ、金属部１０とアンテナ２０とが高周波的に接続されても、金属部１０はスリット３０の位置においてＧＮＤ６０に対してほぼオープンの高インピーダンスになる。
【００１９】
このように、本実施形態に係る無線機１は、外周上にあるスリット３０によって分断されている金属部１０とアンテナ２０とを備えており、金属部１０は、金属部１０のスリット３０側の末端が、アンテナ２０の通信周波数に対して高インピーダンスである。そのため、金属部１０とアンテナ２０とが高周波的に接続されても、アンテナ２０に対して、金属部１０のスリット３０側の末端はほぼＧＮＤに見えないため、アンテナ２０のアンテナ特性への影響を抑制することができる。
【００２０】
また、金属部１０は、金属部１０のスリット３０側の末端が、アンテナ２０の通信周波数においてＧＮＤ６０に対して高インピーダンスになるようなグランド接続点ＰにおいてＧＮＤ６０に接続している。そのため、金属部１０のスリット３０側の末端を好適に高インピーダンスにすることができる。
【００２１】
また、金属部１０は、電気長が（２ｎ−１）λ／８〜（２ｎ＋１）λ／８（ｎは奇数の自然数）になる長さＬの位置において、ＧＮＤ６０に接続される。そのため、金属部１０およびアンテナ２０が高周波的に接続された場合であっても、アンテナ２０に対して、金属部１０のスリット３０側の末端はほぼＧＮＤに見えないため、アンテナ２０のアンテナ特性への影響を好適に抑制することができる。
【００２２】
〔変形例１〕
変形例１について、図２の（ａ）を用いて説明する。図２の（ａ）は、実施形態１に係る無線機１の変形例１の構成を示す概略図である。
【００２３】
例えば、金属部１０がアンテナ２０の通信周波数の波長の１／８の長さより短い場合、上述したように、金属部１０のスリット３０側の末端からＬ＝（２ｎ−１）λ／８〜（２ｎ＋１）λ／８（ｎは奇数の自然数）の位置においてＧＮＤ６０に接続できない。この場合、グランド接続点Ｐにおいて、リアクタンス素子を介して金属部１０をＧＮＤ６０に接続することにより、金属部１０とアンテナ２０とが高周波的に接続された場合であっても、金属部１０をスリット３０の位置においてＧＮＤ６０に対して高インピーダンスにすることができる。
【００２４】
例えば、図２の（ａ）に示すように、グランド接続点Ｐにおいて、インダクタ（リアクタンス素子）５１を介して金属部１０をＧＮＤ６０に接続する。この構成により、スリット３０からの長さＬがアンテナ２０の通信周波数の帯域の波長の１／８の長さより短い場合であっても、金属部１０の長さＬにおける電気長を好適に変更することができる。
【００２５】
このように、本変形例に係る無線機１は、インダクタ５１をさらに備え、金属部１０は、インダクタ５１を介してＧＮＤ６０に接続されている。そのため、金属部１０の長さに関わらず、金属部１０およびアンテナ２０が高周波的に接続された場合であっても、アンテナ２０に対して、金属部１０のスリット３０側の末端はほぼＧＮＤに見えないため、アンテナ２０のアンテナ特性への影響を抑制することができる。
【００２６】
なお、金属部１０がアンテナ２０の通信周波数の波長の１／８の長さより短い場合を例に挙げたが、本変形例はこの場合に限定されない。例えば、金属部１０がアンテナ２０の通信周波数の波長の１／８の長さより長い場合であっても、金属部１０のスリット３０側の末端からグランド接続点Ｐまでの電気長を最適に調整するために、容量性のキャパシタで対応したリアクタンス素子を介して金属部１０をＧＮＤ６０に接続してもよい。この構成は、他の実施形態および変形例においても適用可能である。
【００２７】
〔変形例２〕
実施形態１における変形例２について、図２の（ｂ）を用いて説明する。図２の（ｂ）は、実施形態１の変形例２に係る無線機１の構成を示す概略図である。
【００２８】
例えば、金属部１０がアンテナ２０の通信周波数の波長の１／８の長さより短い場合、外周上に配置されており、かつ、無線機１の内部を覆う面状の金属部１０を配置する。例えば、図２の（ｂ）に示すように、無線機１の内部を覆う金属部１０が面状を有している場合、無線機１の外周以外の位置であって、スリット３０側の末端から長さＬの位置をグランド接続点Ｐとすることができる。
【００２９】
このように、本変形例に係る無線機１は、無線機１の内部を覆う面状の金属部１０を備え、金属部１０は外周以外の位置においてＧＮＤ６０に接続される。そのため、無線機１の外周においてグランド接続点Ｐを設けることができない構成において、金属部１０およびアンテナ２０が高周波的に接続された場合であっても、アンテナ２０に対して、金属部１０のスリット３０側の末端はほぼＧＮＤに見えないため、アンテナ２０のアンテナ特性への影響を抑制することができる。
【００３０】
〔実施形態２〕
本発明の他の実施形態について、図３に基づいて説明すれば、以下のとおりである。図３は、本発明の実施形態２に係る無線機１ａの構成を示す概略図である。本実施形態では、アンテナ２０が互いに異なる複数の通信周波数を用いて無線信号の送受信をすることができる。
【００３１】
アンテナ２０が互いに異なる複数の通信周波数を用いて無線信号の送受信する場合、それぞれの通信周波数に対して、金属部１０のスリット３０側の末端からの電気長が（２ｎ−１）λ／８〜（２ｎ＋１）λ／８（ｎは奇数の自然数）の長さになる位置においてＧＮＤ６０に接続する。例えば、アンテナ２０が通信周波数ｆ１および通信周波数ｆ２で通信する場合、通信周波数ｆ１の波長の１／４の電気長となる長さを長さＬ１とし、通信周波数ｆ２の波長の１／４の電気長となる長さを長さＬ２とする。この場合、金属部１０のスリット３０側の末端から長さＬ１離れた位置（グランド接続点Ｐ１）において、通信周波数ｆ１で金属部１０をＧＮＤ６０に高周波接続し、さらに、スリット３０から長さＬ２離れた位置（グランド接続点Ｐ２）において、通信周波数ｆ２で金属部１０をＧＮＤ６０に高周波接続する。この構成により、金属部１０とアンテナ２０とが高周波的に接続されても、金属部１０はスリット３０側の末端において通信周波数ｆ１および通信周波数ｆ２のそれぞれにおいて、ＧＮＤ６０に対して高インピーダンスになる。
【００３２】
このように、本実施形態に係る無線機１ａでは、アンテナ２０が互いに異なる複数の通信周波数で無線通信を行う。そして、金属部１０は、金属部１０のスリット３０側の末端が、上記互いに異なる複数の周波数のそれぞれにおいて、ＧＮＤ６０に対して高インピーダンスになるような接続位置においてＧＮＤ６０に接続されている。そのため、アンテナ２０が複数の通信周波数を用いて無線信号の送受信を行う構成において、金属部１０およびアンテナ２０が高周波的に接続された場合であっても、アンテナ２０に対して、金属部１０のスリット３０側の末端はほぼＧＮＤに見えないため、アンテナ２０のアンテナ特性への影響を抑制することができる。
【００３３】
さらに、グランド接続点Ｐ１およびグランド接続点Ｐ２において、図３に示すように、それぞれ所望の周波数のみを通すフィルタ５２およびフィルタ５３を介して、ＧＮＤ６０に接続する構成であってもよい。また、フィルタに替えて、所望の周波数のみを通すためのスイッチを介してＧＮＤ６０に接続する構成であってもよい。
【００３４】
〔実施形態３〕
本発明の他の実施形態について、図４に基づいて説明すれば、以下のとおりである。図４は、本発明の実施形態３に係る無線機１ｂの構成を示す概略図である。本実施形態では、無線機１ｂはアンテナを２つ備えている。
【００３５】
無線機１ｂは、実施形態１における無線機１の構成に加えて、図４に示すように、外周にあるスリット（第二の隙間）３２によって金属部１０と分断されているアンテナ２１をさらに備えている。アンテナ２０は、給電部４０によってアンテナ給電され、アンテナ２１は、給電部４１によってアンテナ給電され、それぞれ同じ通信周波数を用いて無線信号を送受信する。
【００３６】
まず、上述の実施形態と同様、図４に示すように、金属部１０のスリット３０側の末端から、アンテナ２０の通信周波数の波長の１／４の電気長となる長さＬの位置（グランド接続点Ｐ３）において、金属部１０をＧＮＤ６０に接続する。この構成により、金属部１０およびアンテナ２０が高周波的に接続された場合であっても、アンテナ２０のアンテナ特性への影響を抑制することができる。
【００３７】
一方、アンテナ２１および金属部１０が高周波的に接続されると、アンテナ２１から金属部１０に電流が流れるため、アンテナ２１のアンテナ特性に影響を与えてしまう。そのため、金属部１０のスリット３２側の末端から、アンテナ２１の通信周波数の波長の１／４の電気長となる長さＬの位置（グランド接続点Ｐ４）において、金属部１０をＧＮＤ６０に接続する。
【００３８】
このように、本実施形態に係る無線機１ｂは、上述した無線機１の構成に加えて、外周上にあるスリット３２であって、スリット３０とは異なるスリット３２によって金属部１０と分断されているアンテナ２１を備え、金属部１０は、金属部１０のスリット３２側の末端が、アンテナ２１の通信周波数において、ＧＮＤ６０に対して高インピーダンスになるような接続位置においてＧＮＤ６０に接続されている。そのため、金属部１０およびアンテナ２１が高周波的に接続された場合であっても、アンテナ２１のアンテナ特性への影響を抑制することができる。すなわち、アンテナ２０およびアンテナ２１の少なくとも何れかと金属部１０とが高周波的に接続された場合であっても、アンテナ２０およびアンテナ２１のアンテナ特性への影響を抑制することができる。
【００３９】
なお、金属部１０のスリット３０側の末端から長さＬの位置と、金属部１０のスリット３２側の末端から長さＬの位置とが一致する場合、当該位置をグランド接続点Ｐ３およびグランド接続点Ｐ４として共用する構成であってもよい。
【００４０】
〔変形例３〕
変形例３について、図５の（ａ）を用いて説明する。図５の（ａ）は、実施形態３に係る無線機１ｂの変形例３の構成を示す概略図である。
【００４１】
例えば金属部１０が短く、スリット３０側の末端からアンテナ２０およびアンテナ２１の通信周波数の波長の１／８の位置においてＧＮＤに接続できない場合、グランド接続点Ｐ３およびグランド接続点Ｐ４において、それぞれリアクタンス素子を介して金属部１０をＧＮＤ６０に接続する。この構成により、アンテナ２０およびアンテナ２１の少なくとも何れかと金属部１０とが高周波的に接続された場合であっても、高周波的に接続されたスリット３０の位置においてＧＮＤ６０に対して高インピーダンスにすることができる。
【００４２】
例えば、図５の（ａ）に示すように、金属部１０のスリット３０側の末端から長さＬの位置であるグランド接続点Ｐ３において、インダクタ５１を介して金属部１０をＧＮＤ６０に接続し、スリット３２側の末端から長さＬの位置であるグランド接続点Ｐ４において、インダクタ５１を介して金属部１０をＧＮＤ６０に接続する。この構成により、金属部１０のスリット３０側の末端から長さＬにおける電気長および金属部１０のスリット３２側の末端から長さＬにおける電気長を変更することができる。
【００４３】
このように、本変形例に係る無線機１ｂでは、金属部１０は、グランド接続点Ｐ３およびグランド接続点Ｐ４において、それぞれインダクタ５１を介してＧＮＤ６０に接続される。そのため、金属部１０の長さに関わらず、アンテナ２０およびアンテナ２１の少なくとも何れかと金属部１０とが高周波的に接続された場合であっても、アンテナ２０およびアンテナ２１のアンテナ特性への影響を抑制することができる。
【００４４】
〔変形例４〕
変形例４について、図５の（ｂ）を用いて説明する。図５の（ｂ）は、実施形態３に係る無線機１ｂの変形例４の構成を示す概略図である。
【００４５】
例えば金属部１０が短く、金属部１０のスリット３０およびスリット３２の末端からそれぞれアンテナ２０およびアンテナ２１の通信周波数の波長の１／８の電気長の長さの位置においてＧＮＤに接続できない場合、アンテナ２１の通信周波数を高くする。ここで、通信周波数と波長は反比例する（通信周波数をｆ、波長をλ、伝搬速度をｃとすると、λ＝ｃ／ｆ）ので、アンテナ２１の通信周波数を高くすると、アンテナ２１の通信周波数の波長を短くすることができる。
【００４６】
例えば、アンテナ２０の通信周波数の波長の１／４の電気長の長さを長さＬ５とすると、図５の（ｂ）に示すように、金属部１０のスリット３０側の末端から長さＬ５の位置（グランド接続点Ｐ５）において、金属部１０をＧＮＤ６０に接続する。さらに、アンテナ２１の通信周波数の波長の１／４の電気長の長さを長さＬ６とすると、図５の（ｂ）に示すように、金属部１０のスリット３２側の末端から長さＬ６の位置（グランド接続点Ｐ６）において、金属部１０をＧＮＤ６０に接続する。ここで、アンテナ２１の通信周波数は、アンテナ２０の通信周波数より高いため、長さＬ６は長さＬ５より短くなる。
【００４７】
このように、本変形例に係る無線機１ｂでは、アンテナ２０の通信周波数に対して、アンテナ２１の通信周波数を高くする。これにより、金属部１０のスリット３２側の末端からの長さＬ６を短くすることができる。そのため、金属部１０の長さに関わらず、アンテナ２０およびアンテナ２１の少なくとも何れかと金属部１０とが高周波的に接続された場合であっても、アンテナ２０およびアンテナ２１のアンテナ特性への影響を抑制することができる。
【００４８】
〔実施形態４〕
本発明の他の実施形態について、図６に基づいて説明すれば、以下のとおりである。図６は、本発明の実施形態４に係る無線機１ｃの構成を示す概略図である。本実施形態では、無線機１ｃでは、金属部１０は、スリット３０とグランド接続点Ｐとの間において、スリット３２によって分断されている。
【００４９】
図１に示すように、金属部１０のスリット３０側の末端から、アンテナ２０の通信周波数の波長の１／４の電気長となる長さＬの位置であるグランド接続点ＰにおいてＧＮＤ６０と接続した場合、アンテナ２０の通信周波数からすると、金属部１０には不要な共振が生じる。そのため、図１に示す無線機１は、グランド接続点ＰにおいてＧＮＤ６０と接続しない場合と比較して、自由空間特性が若干劣化する。そこで、スリット３０とグランド接続点Ｐとの間にスリット３４を追加することにより、金属部１０がアンテナ２０の通信周波数において共振しなくなるため、自由空間特性の劣化を防ぐことができる。
【００５０】
このように、本実施形態に係る無線機１ｃでは、金属部１０は、スリット３０とグランド接続点Ｐとの間において分断されている。そのため、自由空間時においては、金属部１０は、アンテナ２０の通信周波数の波長の１／４の電気長の長さＬより短い長さで共振するため、アンテナ２０のアンテナ特性に影響しない。また、スリット３０およびスリット３４を高周波的に接続した場合であっても、金属部１０のスリット３０側の末端は、アンテナ２０の通信周波数において、ＧＮＤ６０に対して高インピーダンスとなるため、アンテナ２０のアンテナ特性に影響しない。また、スリット３４のみを高周波的に接続した場合であっても、金属部１２はＧＮＤ６０に接続されていないため、アンテナ２０のアンテナ特性に影響しない。
【００５１】
〔実施形態５〕
本発明の他の実施形態について、図７に基づいて説明すれば、以下のとおりである。図７の（ａ）は、本発明の実施形態５におけるアンテナ２０の構成の一例を示す概略図であり、（ｂ）は、本発明の実施形態５におけるアンテナ２０の構成の他の例を示す概略図であり、（ｃ）は、本発明の実施形態５におけるアンテナ２０の構成のさらに他の例を示す概略図である。本実施形態に係る無線機１ｄは、一部が欠落した欠落部位が存在するアンテナ２０を備えている。
【００５２】
上述したように、金属部１０およびアンテナ２０を２つの樹脂製の成形物が挟むことによって生成される構造体を無線機１ｄの筐体としてもよい。この場合、２つの樹脂製の成形物は、間に金属部１０およびアンテナ２０が存在するため、剥離してしまう可能性がある。
【００５３】
そこで、例えば、図７の（ａ）に示すように、長方形の欠落部位７０を備えるアンテナ２０を、２つの樹脂製の成形物が挟む。そして、欠落部位７０においても、２つの樹脂製の成形物を接着する。この構成により、２つの樹脂製の成形物が剥離することを抑制することができる。
【００５４】
なお、欠落部位の形状、個数は、図７の（ａ）に示す欠落部位７０に限定されない。例えば、図７の（ｂ）に示すように、円形の欠落部位７１および円形の欠落部位７２が存在するアンテナ２０であってもよい。欠落部位の形状の他の例として、楕円形、多角形等であってもよく、任意の形状を用いることができる。また、欠落部位の個数は、２つの樹脂製の成形物との密着強さを向上させるため、複数の欠落部位を設けることが好ましい。
【００５５】
また、欠落部位が設けられる位置も、図７の（ａ）および（ｂ）に限定されない。例えば、図７の（ｃ）に示すように、アンテナ２０の端部において、図７の（ｃ）に示すように、長方形の欠落部位７３および長方形の欠落部位７４が存在するアンテナ２０であってもよい。
【００５６】
また、欠落部位の大きさは、アンテナ２０のアンテナ特性に影響がないように設定されていることが好ましい。例えば、図７の（ａ）に示すような、欠落部位７０が長方形の場合、アンテナ２０の通信周波数に対して、１／８波長×１／８波長以下とすることにより、アンテナ特性への影響を好適に抑制することができる。
【００５７】
このように、本実施形態に係る無線機１ｄでは、アンテナ２０は、一部が欠落している欠落部位が存在しており、欠落部位の面積は、アンテナ２０の通信周波数の波長の１／８の二乗以下の面積である。そのため、アンテナ２０を、２つの樹脂製の成形物が挟む構成の場合において、欠落部位においても２つの樹脂製の成形物を接着することができるので、２つの樹脂製の成形物が剥離することを抑制することができる。
【００５８】
なお、本明細書では、金属部１０のスリット３０側の末端から電気長が（２ｎ−１）λ／８〜（２ｎ＋１）λ／８（ｎは奇数の自然数）になる長さＬの位置において、ＧＮＤ６０に接続する構成としているが、本発明は、スリット３０側の末端が、アンテナ２０の通信周波数においてＧＮＤ６０に対して高インピーダンスになる構成であればよく、その構成は限定されない。
【００５９】
例えば、金属部１０を抵抗値の大きな抵抗を介してＧＮＤ６０に接続し、金属部１０をＧＮＤ６０に対して高インピーダンスにすることにより、ＧＮＤ６０に接続する位置に関わらず、金属部１０のスリット３０側の末端をアンテナ２０の通信周波数においてＧＮＤ６０に対して高インピーダンスにする構成であってもよい。
【００６０】
また、金属部１０とＧＮＤ６０とを接続しないことにより、金属部１０のスリット３０側の末端をアンテナ２０の通信周波数においてＧＮＤ６０に対して高インピーダンスにする構成であってもよい。
【００６１】
さらに、金属部１０が抵抗成分を持つ金属の場合、上記の長さＬとは異なる長さの位置においてＧＮＤ６０に接続することにより、スリット３０側の末端を、アンテナ２０の通信周波数においてＧＮＤ６０に対して高インピーダンスにする構成であってもよい。
【００６２】
〔まとめ〕
本発明の態様１に係る無線機（１〜１ｃ）は、外周上にある第一の隙間（スリット３０）によって分断されている金属部（１０）と第一のアンテナ（アンテナ２０）とを備えており、上記金属部は、上記金属部の上記第一の隙間側の末端が、上記第一のアンテナの通信周波数において、グランドに対して高インピーダンスである。
【００６３】
上記の構成によれば、金属部は、金属部の第一の隙間側の末端が、第一のアンテナの通信周波数において、グランドに対して高インピーダンスである。そのため、金属部と第一のアンテナとが高周波的に接続されても、第一のアンテナに対して、金属部の第一の隙間側の末端はほぼグランドには見えないため、第一のアンテナのアンテナ特性への影響を抑制することができる。
【００６４】
本発明の態様２に係る無線機は、上記態様１において、上記金属部は、上記金属部の上記第一の隙間側の末端が、上記第一のアンテナの通信周波数において、グランドに対して高インピーダンスになるような接続位置（グランド接続点Ｐ）においてグランドに接続してもよい。
【００６５】
上記の構成によれば、金属部の第一の隙間側の末端を好適に高インピーダンスにすることができる。
【００６６】
本発明の態様３に係る無線機は、上記態様２において、上記第一のアンテナの通信周波数の波長をλとすると、上記グランドとの接続位置から上記金属部の上記第一の隙間側の末端までの電気長が、（２ｎ−１）λ／８〜（２ｎ＋１）λ／８（ｎは奇数の自然数）であってもよい。
【００６７】
上記の構成によれば、金属部は、第一の隙間側の末端までの電気長が（２ｎ−１）λ／８〜（２ｎ＋１）λ／８（ｎは奇数の自然数）の長さの位置において、グランドに接続されている。そのため、金属部の第一の隙間側の末端を好適に高インピーダンスにすることができるため、第一のアンテナのアンテナ特性への影響を抑制することができる。
【００６８】
本発明の態様４に係る無線機は、上記態様２または３において、リアクタンス素子（インダクタ５１）をさらに備え、上記金属部は、上記リアクタンス素子を介して上記グランドに接続されていてもよい。
【００６９】
上記の構成によれば、金属部を所望の位置においてグランドに接続できない場合であっても、リアクタンス素子を介してグランドに接続することにより、金属部の第一の隙間側からグランドに接続した位置までの金属部の電気長を変更することができる。そのため、金属部の長さに関わらず、金属部および第一のアンテナを高周波的に接続した場合であっても、第一のアンテナのアンテナ特性への影響を抑制することができる。
【００７０】
本発明の態様５に係る無線機は、上記態様２〜４の何れかにおいて、上記第一のアンテナは、互いに異なる複数の通信周波数で無線通信を行い、上記金属部は、上記金属部の上記第一の隙間側の末端が、上記互いに異なる複数の通信周波数のそれぞれにおいて、グランドに対して高インピーダンスになるような接続位置においてグランドに接続されていてもよい。
【００７１】
上記の構成によれば、第一のアンテナが複数の通信周波数で無線通信を行う場合であっても、金属部は、上記複数の通信周波数のそれぞれにおいて、グランドに対して金属部の第一の隙間側の末端は高インピーダンスとなるため、第一のアンテナのアンテナ特性への影響を抑制することができる。
【００７２】
本発明の態様６に係る無線機は、上記態様２〜５の何れかにおいて、上記外周上にある第二の隙間（スリット３２）であって、上記第一の隙間とは異なる第二の隙間によって上記金属部と分断されている第二のアンテナ（アンテナ２１）をさらに備え、上記金属部はさらに、上記金属部の上記第二の隙間側の末端が、上記第二のアンテナの通信周波数において、グランドに対して高インピーダンスになるような接続位置においてグランドに接続されていてもよい。
【００７３】
上記の構成によれば、無線機が第一のアンテナおよび第二のアンテナを備える構成において、金属部および第一のアンテナを高周波的に接続した場合であっても、金属部の第一の隙間側の末端は第一のアンテナの通信周波数において、グランドに対して高インピーダンスとなり、第一のアンテナのアンテナ特性への影響を抑制することができる。さらに、金属部および第二のアンテナを高周波的に接続した場合であっても、金属部の第二の隙間側の末端は第二のアンテナの通信周波数において、グランドに対して高インピーダンスとなり、第二のアンテナのアンテナ特性への影響を抑制することができる。
【００７４】
本発明の態様７に係る無線機は、上記態様２〜６の何れかにおいて、上記金属部は、上記第一の隙間と、上記金属部において上記グランドに接続される位置（グランド接続部Ｐ）との間において分断されていてもよい。
【００７５】
第一の隙間側と上記グランドに接続される位置との間において分断されていない場合、金属部は第一のアンテナの通信周波数からすると、不要な共振を生じてしまう。しかしながら、上記の構成によれば、金属部は第一のアンテナの通信周波数において共振することがなくなる。そのため、無線機は、第一の隙間と金属部において上記グランドに接続される位置との間において分断されていない場合と比較して、自由空間特性を向上させることができる。
【００７６】
本発明の態様８に係る無線機は、上記態様１〜７の何れかにおいて、上記金属部は、上記外周に沿って配置されていてもよい。
【００７７】
上記の構成によれば、外周に沿って金属部が配置されるため、金属部を無線機の筐体とする構成や、金属部を無線機の筐体の少なくとも一部とする構成が実現できる。
【００７８】
本発明の態様９に係る無線機は、上記態様１〜８の何れかにおいて、上記第一のアンテナは、上記外周に沿って配置されていてもよい。
【００７９】
上記の構成によれば、外周に沿って第一のアンテナが配置されるため、第一のアンテナを無線機の筐体とする構成や、第一のアンテナを無線機の筐体の少なくとも一部とする構成が実現できる。
【００８０】
本発明の態様１０に係る無線機は、上記態様１〜９の何れかにおいて、上記第一のアンテナは、一部が欠落している欠落部位（７０、７１、７２、７３、７４）が存在しており、上記欠落部位の面積は、上記第一のアンテナの通信周波数の波長の１／８の二乗以下の面積であればよい。
【００８１】
上記の構成によれば、第一のアンテナを２つの樹脂製の成形物が挟む構成の場合、欠落部位においても２つの樹脂製の成形物を接着することができるので、２つの樹脂製の成形物が剥離することを抑制することができる。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８３】
本発明は、外周に隙間を介して配置された金属部およびアンテナを備える無線機に幅広く利用することができる。
【符号の説明】
【００８４】
１、１ａ、１ｂ、１ｃ、１ｄ  無線機
１０、１１、１２  金属部
２０  アンテナ（第一のアンテナ）
２１  アンテナ（第二のアンテナ）
３０  スリット（第一の隙間）
３１、３３  スリット
３２  スリット（第二の隙間）
３４  スリット（第三の隙間）
４０、４１  給電点
５０  インダクタ
５１  インダクタ（インダクタンス素子）
５２、５３  フィルタ
６０  ＧＮＤ（グランド）
Ｌ、Ｌ１、Ｌ２、Ｌ３、Ｌ４、Ｌ５、Ｌ６  長さ
Ｐ、Ｐ１、Ｐ２、Ｐ３、Ｐ４、Ｐ５、Ｐ６  グランド接続点
７０、７１、７２、７３、７４  欠落部位
【図１】
2016103859.tif 000003
【図２】
2016103859.tif 000004
【図３】
2016103859.tif 000005
【図４】
2016103859.tif 000006
【図５】
2016103859.tif 000007
【図６】
2016103859.tif 000008
【図７】
2016103859.tif 000009
【国際調査報告】
2016103859.tif 000010
2016103859.tif 000011
2016103859.tif 000012
2016103859.tif 000013